(57)【要約】【課題】内燃機関の自動停止を実施する際に、ガスセンサのヒータへの通電によるバッテリの負担を一層低減することができるセンサ制御装置及びセンサ制御方法を提供することである。【解決手段】赤信号等の場合に、ブレーキペダルが踏まれて、車速が低減し、例えばアイドルストップ条件が成立し、且つ、エンジン回転数が低下してゼロとなると、車速にかかわらず、発熱抵抗体８３への通電を停止する。そのため、従来に比べて、発熱抵抗体８３への通電の停止期間が長いので、消費電力を大きく低減できるという顕著な効果を奏する。【選択図】図４
2014016317.tif 000002
【特許請求の範囲】
【請求項１】
自動停止条件が成立したときに内燃機関が自動停止する車両の内燃機関の排気管に取り付けられるガスセンサと、
前記ガスセンサを加熱するヒータと、
前記ヒータへの通電制御を行うヒータ制御部と、
を備えたセンサ制御装置であって、
前記車両の走行中に、前記自動停止条件が成立することを予め推定する自動停止条件推定手段と、
前記自動停止条件推定手段によって、前記自動停止条件が成立すると予め推定された場合には、前記ヒータ制御部を駆動して前記ヒータへの印加電圧を低減、もしくは、前記ヒータへの通電を停止する制御を行う通電抑制制御手段と、
を備えたことを特徴とするセンサ制御装置。
【請求項２】
前記自動停止条件が成立した場合には、そのことを示す信号を設定するとともに、
前記通電抑制制御手段は、前記信号に基づいて、前記ヒータへの印加電圧を低減、もしくは、前記ヒータへの通電を停止することを特徴とする請求項１に記載のセンサ制御装置。
【請求項３】
前記自動停止条件推定手段は、前記内燃機関の回転数が所定の回転数判定値以下に低下した場合に、前記自動停止条件が成立すると予め推定することを特徴とする請求項１又は２に記載のセンサ制御装置。
【請求項４】
前記自動停止条件推定手段は、前記車両の速度が所定の速度判定値以下に低下し、かつ、前記内燃機関の点火信号が停止状態であるときに、前記自動停止条件が成立すると予め推定することを特徴とする請求項１又は２に記載のセンサ制御装置。
【請求項５】
自動停止条件が成立したときに内燃機関が自動停止する車両の内燃機関の排気管に取り付けられるガスセンサと、
前記ガスセンサを加熱するヒータと、
前記ヒータへの通電制御を行うヒータ制御部と、
を備えたセンサ制御装置にて、前記ヒータの動作を制御するセンサ制御方法であって、
前記車両の走行中に、前記自動停止条件が成立することを予め推定する自動停止条件推定工程と、
前記自動停止条件推定工程によって、前記自動停止条件が成立すると予め推定された場合には、前記ヒータ制御部を駆動して前記ヒータへの印加電圧を低減、もしくは、前記ヒータへの通電を停止する制御を行う通電抑制制御工程と、
を有することを特徴とするセンサ制御方法。
【請求項６】
前記通電抑制制御工程によって、前記ヒータへの印加電圧を低減、もしくは、前記ヒータへの通電停止する制御が行われている際に、前記自動停止条件が不成立となる、または、前記自動停止が解除された場合には、前記ヒータ制御部を駆動して前記ヒータへの通電を通常状態に復帰させる制御を行う復帰制御工程を、更に有することを特徴とする請求項５に記載のセンサ制御方法。
【発明の詳細な説明】
【技術分野】
【０００１】
本発明は、内燃機関の制御に用いられるガスセンサ、特に、検知対象ガスに含まれる特定ガスの濃度等を測定するガスセンサに適用することができるセンサ制御装置及びセンサ制御方法に関する。
【背景技術】
【０００２】
従来、車両（自動車）のエンジン等の内燃機関の排気管には、排気管を流通するガス中の特定ガス成分の濃度等を検知するガスセンサが配置されている。
この種のガスセンサとしては、例えば排ガス中の空燃比を検出する空燃比センサが知られており、内燃機関においては、排ガスの空燃比を例えば理論空燃比となるようにフィードバック制御をすることにより排ガスを浄化する空燃比フィードバック制御が実施されている。
【０００３】
上述したガスセンサとしては、固体電解質体と一対の電極とを有するセンサ素子と、センサ素子を加熱するヒータとを備えたものがあり、特定ガスの濃度に応じた電気信号を制御部に出力するように構成されている。
【０００４】
また、固体電解質体を用いた酸素濃度検知セル及び酸素ポンプセルを２セル備え、酸素濃度検知セルにおいて測定室に導入されたガス中の酸素濃度を検知するための基準となる基準酸素を自己生成するセンサ素子を備えたガスセンサも広く知られている。
【０００５】
前記固体電解質体には、一般に、ジルコニア系の材料、特に、強度とイオン伝導性の観点から、部分安定化ジルコニアが用いられるが、このような固体電解質体を用いたガスセンサでは、ガスセンサ（詳しくはセンサ素子）の温度が、所定温度（例えば、６００℃から７００℃）に達しないと、特定ガスに応じた電気信号によるガス検知精度が低下する。
【０００６】
このため、センサ素子が活性しているか否かの判定の基準となる活性判定温度が予め設定され、特定ガスの検知に際して、センサ素子はヒータによって活性判定温度以上の温度に加熱される。
【０００７】
ところで、従来から、信号待ち等の一時停車時にエンジンを自動停止することで、燃料の節約及び排出ガスの低減を図った自動停止制御（いわゆるアイドリングストップ制御）が実施されている。
【０００８】
この自動停止制御では、内燃機関の自動停止を許可する条件（例えばブレーキが踏まれ、車速が０ｋｍ／ｈ（ゼロ）になった場合などの条件）が満たされれば、内燃機関が自動停止され、内燃機関の再始動を許可する条件が満たされれば、エンジンが自動的に再始動される。
【０００９】
ところが、上述した技術においては、内燃機関の自動停止中に、センサ素子の温度を活性判定温度に維持するのに必要な電流をヒータに供給し続けると、自動停止中の電力消費量が多くなり、バッテリへの負担が大きくなるという問題があった。
【００１０】
この対策として、車速がゼロの停車状態となった場合には、ヒータへの通電を停止して、電力消費量を低減する技術が知られている（特許文献１参照）。
また、近年では、内燃機関の再始動時におけるエミッションの増加を抑制するために、ヒータの目標温度として、センサ素子の活性判定温度よりも低い温度を設定し、自動停止中の電力消費量を低減する技術が提案されている（特許文献２参照）。
【先行技術文献】
【特許文献】
【００１１】
【特許文献１】特開平９−８８６８８号公報
【特許文献２】特開２０１１−１４９９２７号公報
【発明の概要】
【発明が解決しようとする課題】
【００１２】
しかしながら、上述した従来技術では、内燃機関の自動停止中にヒータへの通電を停止する場合には、車速がゼロになってから所定時間が経過する条件が成立して停車状態となってからヒータへの通電を停止していたので、バッテリの消費電力の低減が十分ではないという問題があった。
【００１３】
本発明は、上述した課題を解決するためになされたものであり、その目的は、内燃機関の自動停止を実施する際に、ガスセンサのヒータへの通電によるバッテリの負担を一層低減することができるセンサ制御装置及びセンサ制御方法を提供することである。
【課題を解決するための手段】
【００１４】
（１）本発明は、第１態様（センサ制御装置）として、自動停止条件が成立したときに内燃機関が自動停止する車両の内燃機関の排気管に取り付けられるガスセンサと、前記ガスセンサを加熱するヒータと、前記ヒータへの通電制御を行うヒータ制御部と、を備えたセンサ制御装置であって、前記車両の走行中に、前記自動停止条件が成立することを予め推定する自動停止条件推定手段と、前記自動停止条件推定手段によって、前記自動停止条件が成立すると予め推定された場合には、前記ヒータ制御部を駆動して前記ヒータへの印加電圧を低減、もしくは、前記ヒータへの通電を停止する制御を行う通電抑制制御手段と、を備えたことを特徴とする。
【００１５】
本第１態様では、走行中に、内燃機関を自動停止する自動停止条件が成立することを予め推定し、自動停止条件が成立すると予め推定された場合には、ヒータ制御部を駆動してヒータへの印加電圧を低減、もしくは、ヒータへの通電を停止する。つまり、停車してから制御するのではなく、自動停止条件が成立することを予め推定して、走行中にヒータを制御し始めるので、従来に比べて、バッテリの消費電力を大きく低減できるという顕著な効果を奏する。
【００１６】
ここで、自動停止条件とは、実際に例えば一時停車中に内燃機関の動作を停止する条件（例えば車速がゼロ等の条件を含む条件）である。また、自動停止条件推定手段によって、自動停止条件が成立すると予め推定された場合とは、例えば後述する様に、車両の走行中に、内燃機関への燃料供給が停止されて内燃機関の回転数が所定の判定値以下に低下した状態や、車速が所定の判定値以下に低下した場合に、点火プラグの点火信号が所定期間にわたり出力されていない状態などである。
【００１７】
（２）本発明は、第２態様として、前記自動停止条件が成立すると予め推定された場合には、そのことを示す信号を設定するとともに、前記通電抑制制御手段は、前記信号に基づいて、前記ヒータへの印加電圧を低減、もしくは、前記ヒータへの通電を停止することを特徴とする。
【００１８】
本第２態様は、自動停止条件が成立すると予め推定され、そのことを示すフラグ等の信号に基づいてヒータを制御する。これにより、速やかにヒータ制御部を駆動してヒータへの印加電圧を低減、もしくは、ヒータへの通電を停止できるので、消費電力を大きく低減することができる。
【００１９】
なお、自動停止条件の成立が推定された場合に、アイドルストップ推定フラグをセットし、自動停止条件が成立した場合に、アイドルストップフラグを設定することができる。
（３）本発明は、第３態様として、前記自動停止条件推定手段は、前記内燃機関の回転数が所定の回転数判定値以下に低下した場合に、前記自動停止条件が成立すると予め推定することを特徴とする。
【００２０】
本第３態様は、車両の走行中に、内燃機関への燃料供給が停止されて内燃機関の回転数が所定の判定値以下に低下した場合には、車両停止後には内燃機関が自動停止すると予め推定し、ヒータへの印加電圧を低減、もしくは、ヒータへの通電を停止するので、消費電力を大きく低減できる。
【００２１】
また、本第３態様によれば、自動停止条件の成立結果を外部から取得しなくても、回転数の判定結果によって推定し、ヒータへの印加電圧を低減、もしくは、ヒータへの通電を停止できるので、制御処理の負担を軽減できるという利点がある。
【００２２】
更に、自動停止条件の成立の推定時の様に、内燃機関の回転数がある程度低下した場合には、再度アクセルを踏んでスピードを増加させるという可能性は低く、従ってすぐにセンサ出力の利用を再開する可能性は低い。換言すると、内燃機関の回転数がそれほど低下していない場合には、再度アクセルが踏まれ、再度センサ出力が要求される可能性が高い。よって、本第３態様の様に、内燃機関の回転数によって自動停止条件の成立を推定することにより、センサ出力の要求と消費電力の低減とを両立することができる。
【００２３】
（４）本発明は、第４態様として、前記自動停止条件推定手段は、前記車両の速度が所定の速度判定値以下に低下し、かつ、前記内燃機関の点火信号が停止状態であるときに、前記自動停止条件が成立すると予め推定することを特徴とする。
【００２４】
本第４態様は、車速が低く点火信号が停止状態である場合には、車両停止後には内燃機関が自動停止すると予め推定し、ヒータへの印加電圧を低減、もしくは、ヒータへの通電を停止するので、消費電力を大きく低減できる。
【００２５】
また、本第４態様によれば、自動停止条件の成立結果を外部から取得しなくても、車速と点火信号の判定結果によって推定し、ヒータへの印加電圧を低減、もしくは、ヒータへの通電を停止できるので、制御処理の負担を軽減できるという利点がある。
【００２６】
更に、前記第３態様と同様に、自動停止条件の成立の推定時の様に、車速が所定の速度判定値以下で、かつ、点火信号が所定期間にわたり停止状態である場合には、内燃機関が再始動される可能性は低い。よって、本第４態様の様に、車速と点火信号の停止状態によって自動停止条件の成立を推定することにより、センサ出力の要求と消費電力の低減とを両立することができる。
【００２７】
（５）本発明は、第５態様（センサ制御方法）として、自動停止条件が成立したときに内燃機関が自動停止する車両の内燃機関の排気管に取り付けられるガスセンサと、前記ガスセンサを加熱するヒータと、前記ヒータへの通電制御を行うヒータ制御部と、を備えたセンサ制御装置にて、前記ヒータの動作を制御するセンサ制御方法であって、前記車両の走行中に、前記自動停止条件が成立することを予め推定する自動停止条件推定工程と、前記自動停止条件推定工程によって、前記自動停止条件が成立すると予め推定された場合には、前記ヒータ制御部を駆動して前記ヒータへの印加電圧を低減、もしくは、前記ヒータへの通電を停止する制御を行う通電抑制制御工程と、を有することを特徴とする。
【００２８】
本第５態様は、前記第１態様と同様な作用効果を奏する。
（６）本発明は、第６態様として、前記通電抑制制御工程によって、前記ヒータへの印加電圧を低減、もしくは、前記ヒータへの通電停止する制御が行われている際に、前記自動停止条件が不成立となる、または、前記自動停止が解除された場合には、前記ヒータ制御部を駆動して前記ヒータへの通電を通常状態に復帰させる制御を行う復帰制御工程を、更に有することを特徴とする。
【００２９】
本第６態様によれば、走行中に自動停止条件が成立すると推定され、ヒータへの印加電圧を低減、もしくは、ヒータへの通電停止する制御が行われている際に、自動停止条件が不成立となる、または、自動停止が解除された場合であっても、ヒータへの通電を通常状態に復帰させることができる。
【００３０】
したがって、一旦は自動停止条件が成立すると推定された後、最終的に内燃機関の自動停止条件が不成立になるといった状況の時に、その間にヒータへの印加電圧を低減したり、通電停止制御を行っているため、センサ素子の温度を活性判定温度に維持するのに必要な電流をヒータに供給し続ける制御に較べると、バッテリの消費電力を低減できるという顕著な効果を奏する。
【図面の簡単な説明】
【００３１】
【図１】実施形態のセンサ制御装置を備えた内燃機関の制御システムの全体構成を示す説明図である。
【図２】制御システムの電気的構成を示すブロック図である。
【図３】空燃比センサ及び空燃比センサの動作を制御するセンサ制御部の構成を示す説明図である。
【図４】実施形態のメイン処理を示すフローチャートである。
【図５】実施形態のメイン処理等による動作を示すタイミングチャートである。
【発明を実施するための形態】
【００３２】
以下、本発明の実施形態について説明する。
［実施形態］
本実施形態では、内燃機関の空燃比フィードバック制御に用いられる空燃比センサと、その空燃比センサを制御するセンサ制御装置を例に挙げて説明する。
【００３３】
ａ）まず、内燃機関の制御システムの全体構成について説明する。
図１に示す様に、本実施形態では、車両には、例えば４気筒のガソリンエンジンである内燃機関１と、内燃機関１の制御など車両の各種の動作を制御する電子制御装置３が搭載されている。
【００３４】
前記内燃機関１には、各気筒（図示せず）毎に点火プラグ５が配置されている。また、内燃機関１の上流側より、エアクリーナ７、吸気管９、インテークマニホールド１１が設けられており、吸気管９には吸入空気量を調節するスロットルバルブ１３が配置され、インテークマニホール１１には各気筒毎に燃料を噴射する燃料噴射弁１５が配置されている。
【００３５】
一方、内燃機関１の下流側には、エキゾーストマニホールド１７、排気管１９、排ガスを浄化する三元触媒２１が設けられており、排気管１９には、排ガス中の空燃比を検出する空燃比センサ２３が配置されている。
【００３６】
また、前記ＥＣＵ３は、前記燃料噴射弁１５と、点火回路２５及びディストリビュータ２７と、センサ制御部２９とに接続されている。
このうち、点火回路２５は、ＥＣＵ３から出力される信号に基づいて点火プラグ５を駆動する高電圧電流を発生させる電気回路であり、ディストリビュータ２７は、点火回路２５から出力される高電圧電流をクランク角に同期して点火プラグ５に分配するものであり、センサ制御部２９は、空燃比センサ２３の動作を制御する電子制御装置である。
【００３７】
また、前記ディストリビュータ２７には、クランク角を検出する（従ってエンジン回転数を検出する）回転数センサ３１が取り付けられており、センサ制御部２９は、（本発明の）ヒータ制御部としての機能を有している。
【００３８】
なお、空燃比センサ２３、センサ制御部２９、ＥＣＵ３は、本発明のセンサ制御装置としての機能を有している。
ｂ）次に、上述したシステム構成における電気的構成について説明する。
【００３９】
図２に示す様に、ＥＣＵ３の入力側には、例えば、吸入空気量を検出するエアフロメータ３３と、スロットルバルブ１３の開度を検出するスロットル開度センサ３５と、アクセルペダルの踏込量を検出するアクセルセンサ３７と、ブレーキペダルの踏み込みを検出するブレーキスイッチ３９と、エンジン回転数を検出する回転数センサ３１と、（トランスミッションの出力軸の回転数から）車速を検出する車速センサ４１等が接続されている。
【００４０】
また、ＥＣＵ３の出力側には、燃料噴射弁１５と、点火回路２５と、センサ制御部２９等が接続されている。
なお、点火回路２５には、ディストリビュータ２７が接続され、ディストリビュータ２７には、点火プラグ５が接続されている。
【００４１】
また、後述するように、センサ制御部２９には、空燃比センサ２３内に配置されたセンサ素子（検知素子）４３及びヒータ素子４５に接続されている。
ｃ）次に、空燃比センサ２３の構成について説明する。
【００４２】
空燃比センサ２３は、排気管１９に流通する排ガスを検知対象ガスとする全領域空燃比センサであり、センサ制御部２９によってその動作が制御されるとともに、バッテリ（図示せず）からの電力の供給を受けて駆動される。
【００４３】
図３に示す様に、空燃比センサ２３は、センサ素子５１と、センサ素子５１を加熱するヒータ素子５３と、それらを収容する容器であるハウジング（図示せず）とを備える。
このうち、センサ素子５１は、固体電解質体５５、５７と絶縁基体５９、６１とを積層した構造を有する。固体電解質体５５、５７は、イットリアを安定化剤に用いた部分安定化ジルコニア（ＹＳＺ）を主成分とする材料によって形成され、酸素イオン伝導性を有する。絶縁基体５９、６１は、アルミナを主成分とする材料によって形成される。
【００４４】
一方、ヒータ素子５３は、固体電解質体５５、５７の早期活性化と、固体電解質体５５、５７の活性の安定性維持とのために、固体電解質体５７に積層されている。
詳しくは、上述したセンサ素子５１は、検知室６３と、拡散律速部６５と、酸素ポンプセル（Ｉｐセル）６７と、酸素分圧検知セル（Ｖｓセル）６９と、絶縁基体５９、６１とを備える。
【００４５】
前記検知室６３は、排気管１９内を流通する排ガスが導入される小空間であり、拡散律速部６５は、多孔質状の部材（例えばアルミナ）によって形成され、検知室６３内に排ガスを導入する際の流入量を規制する。
【００４６】
Ｉｐセル６７は、固体電解質体５５と、固体電解質体５５を挟むように形成された多孔質の一対の電極７１、７３とを備える。この電極７１、７３は、例えばＰｔを主成分とする材料によって形成される。
【００４７】
このＩｐセル６７は、電極７１、７３間に電流が供給されることで、電極７１が接する雰囲気（即ち排ガス）と電極７３が接する雰囲気（検知室６３内の雰囲気）との間で、酸素の汲み出し及び汲み入れ（いわゆる酸素ポンピング）を行う。
【００４８】
絶縁基体６１は、電極７１の上部となる位置に開口７５を有し、開口７５には多孔質の例えばアルミナからなる保護層７７が設けられている。
Ｖｓセル６９は、固体電解質体５７と、固体電解質体５７を挟むように形成された多孔質の一対の電極７９、８１とを備える。この電極７９、８１は、例えばＰｔを主成分とする材料によって形成される。このうち、電極７９は、固体電解質体５７の面のうち、検知室６３側の面に設けられており、電極８１は、検知室６３内の酸素濃度の検知のための基準となる酸素濃度を維持する酸素基準電極として機能する。
【００４９】
このＶｓセル６９は、主として、固体電解質体５７によって隔てられた雰囲気（電極７９と接する検知室６３内の雰囲気と、電極８１と接する雰囲気）間の酸素分圧差に応じて電圧（起電力）を発生する。
【００５０】
また、前記ヒータ素子５３は、センサ素子５１（特に、固体電解質体５５、５７）を加熱して活性化させる素子であり、発熱抵抗体８３と、絶縁基体８５、８７とを備える。発熱抵抗体８３は、白金を主成分とする材料によって構成され、両絶縁基体８５、８７の間に挟まれている。絶縁基体８５、８７は、アルミナを主成分とする材料によって形成される。なお、発熱抵抗体８３は、本発明のヒータに相当する。
【００５１】
ｄ）次に、空燃比センサ２３を制御するセンサ制御部２９について説明する。
図３に示す様に、センサ制御部２９は、マイクロコンピュータ（マイコン）９１と、特定用途向け集積回路（ＡＳＩＣ）９３と、ヒータ電圧供給回路９５とを構成主体としている。マイコン９１は、公知の構成のＣＰＵ９１ａ、ＲＯＭ９１ｂ、ＲＡＭ９１ｃを搭載したマイコンチップである。
【００５２】
一方、ＡＳＩＣ９３は、Ｉｐ検知回路１０１と、Ｉｐ駆動回路１０３と、抵抗検知回路１０５と、電圧出力回路１０７と、基準電圧比較回路１０９と、Ｉｃｐ供給回路１１１とを備えている。
【００５３】
Ｉｐ検知回路１０１は、Ｉｐセル６７の電極７１、７３間に流れる電流Ｉｐを電圧変換し、変換した電圧を検知信号としてマイコン９１に出力する。
抵抗検知回路１０５は、定期的に、予め規定された値の電流をＶｓセル６９に通電し、その通電に応答して得られる電圧変化量（電圧Ｖｓの変化量）を検知するための回路である。この抵抗検知回路１０５によって検知された電圧Ｖｓの変化量を示す値は、マイコン９１に出力される。
【００５４】
マイコン９１では、抵抗検知回路１０５から出力された値と、ＲＯＭ９１ｂに記憶されている電圧Ｖｓの変化量とＶｓセル６９のインピーダンスＲｉとが予め関連付けられたテーブルとに基づいて、Ｖｓセル６９のインピーダンスＲｉが求められる。Ｖｓセル６９のインピーダンスＲｉは、Ｖｓセル６９の温度、すなわち、センサ素子５１全体の温度と相関があり、マイコン９１は、Ｖｓセル６９のインピーダンスＲｉに基づいて、空燃比センサ２３（即ちセンサ素子５１）の温度を検知する。
【００５５】
電圧出力回路１０７は、Ｖｓセル６９の電極７９、８１間に生ずる起電力Ｖｓを検知する。
基準電圧比較回路１０９は、予め定められた基準電圧と、電圧出力回路１０７において検知された起電力Ｖｓとの比較を行い、比較結果をＩｐ駆動回路１０３に出力する。
【００５６】
Ｉｐ駆動回路１０３は、基準電圧比較回路１０９から出力された比較結果に基づき、Ｉｐセル６７の電極７１、８３間に供給する電流Ｉｐの大きさ及び向きを制御する。
Ｉｃｐ供給回路１１１は、Ｖｓセル６９の電極８１から電極７９へ向かって流れる微小電流Ｉｃｐを供給する。
【００５７】
ヒータ電圧供給回路９５は、ＣＰＵ９１ａからの指示に応じて、発熱抵抗体８３の両端に印加される電圧Ｖｈを公知のＰＩ制御のもとに生成したり、発熱抵抗体８３の両端に一定の電圧（例えば、１２Ｖ）を印加したりすることで、発熱抵抗体８３を発熱させる。
【００５８】
ｅ）次に、空燃比センサ２３の基本的な動作について、簡単に説明する。
ここでは、空燃比センサ２３を用いて検知対象ガスの酸素濃度（従って排ガスの空燃比）を検知する動作について説明する。なお、排ガスの空燃比を検知する際には、基準電圧比較回路１０９で比較対象となる基準電圧（例えば４５０ｍＶ）が設定される。
【００５９】
まず、Ｉｃｐ供給回路１１１は、Ｖｓセル６９の電極８１から固体電解質体５７を介して電極７９に向けて微小電流Ｉｃｐを供給する。この通電により、排ガス中の酸素は、酸素イオンとなって、固体電解質体５７を介して電極７９側から電極８１側に移動する（汲み込まれる）。
【００６０】
そして、Ｖｓセル６９に電流Ｉｃｐが供給されると、酸素イオンは電極７９側から電極８１側に移動し、排ガス中の酸素濃度に応じた起電力Ｖｓを発生させるための基準となる酸素濃度雰囲気が生成される。
【００６１】
電圧出力回路１０７は、両電極７９、８１間の起電力Ｖｓを検知し、検知した起電力Ｖｓを基準電圧比較回路１０９に出力する。基準電圧比較回路１０９は、起電力Ｖｓと基準電圧とを比較し、比較結果をＩｐ駆動回路１０３に出力する。
【００６２】
Ｉｐ駆動回路１０３は、基準電圧比較回路１０９による比較結果に基づいて、起電力Ｖｓが基準電圧となるように、Ｉｐセル６７の電極７１、７３間に供給する電流Ｉｐの大きさ及び向きを制御する。これにより、Ｉｐセル６７による検知室６３内への酸素の汲み入れ又は検知室６３からの酸素の汲み出しが行われる。
【００６３】
ここで、検知室６３内に流入した排ガスの空燃比が理論空燃比よりもリッチであった場合、Ｉｐセル６７において外部から検知室６３内に酸素を汲み入れるように、電極７１、７３間に供給される電流Ｉｐの大きさや向きが制御される。一方、検知室６３内に流入した排ガスの空燃比が理論空燃比よりもリーンであった場合、Ｉｐセル６７において検知室６３から外部へ酸素を汲み出すように、電極７１、７３間に供給される電流Ｉｐの大きさ及び向きが制御される。
【００６４】
このときの電流Ｉｐは、Ｉｐ検知回路１０１において電圧変換され、電圧変換された電流Ｉｐは、検知信号としてマイコン９１に出力される。マイコン９１は、検知信号に基づいて検知対象ガス中に含まれる酸素濃度対応値、ひいては排気ガスの空燃比を算出する。
【００６５】
ｆ）次に、本実施形態のセンサ制御装置において実行されるメイン処理について説明する。
なお、本メイン処理は、車両が走行中の場合に実施されるものであり、本処理とは別に、車速の判定を行って、車速がゼロの場合には、発熱抵抗体８３への通電を停止する処理を行う。また、酸素濃度対応値及び空燃比を算出する処理は、本処理とは別途実行される。
【００６６】
図４に示す様に、メイン処理として、まず、ステップ（Ｓ）１００にて、ヒータ電圧供給回路９５に指示を出力して、ヒータ素子５３の発熱抵抗体８３に１２Ｖの電圧を印加する処理を開始させる。
【００６７】
続くステップ１１０では、Ｉｃｐ供給回路１１１に指示を出力して、Ｖｓセル６９に電流Ｉｃｐを供給する処理を開始させる。
続くステップ１２０では、電圧出力回路１０７によって検知される電圧Ｖｓが、１．５Ｖよりも小さいか否かが判断される。ここで、電圧Ｖｓが１．５Ｖ未満である場合には、ステップ１３０に進み、一方、電圧Ｖｓが１．５Ｖ以上の場合には、１．５未満になるまで待機する。
【００６８】
ステップ１３０では、インピーダンスＲｉを検知する処理（Ｒｉ検知処理）を開始させる。このＲｉ検知処理は、上述した様に、インピーダンスＲｉからセンサ素子５１の温度を検出するための処理であり、検出されたセンサ素子５１の温度から、固体電解質体５５、５７の温度が素子活性化温度に達しているか否かの判定を行うことができる。なお、Ｒｉ検知処理は、メイン処理とは別のルーチンに従ってＣＰＵ９１ａが定期的に実行される。
【００６９】
続くステップ１４０では、後に詳述する様に、ヒータ素子５３（詳しくは発熱発熱体８３）への通電を停止する条件（ヒータ通電停止条件）が満たされたか否かの判定を行う。ここで、ヒータ通電停止条件が満たされていないと判定された場合には、ステップ１５０に進み、一方、ヒータ通電停止条件が満たされたと判定された場合には、ステップ１６０に進む。
【００７０】
ステップ１５０では、ヒータ通電停止条件が満たされていないので、通常の様に、現在のセンサ素子５１の温度に基づいて、センサ素子５３の温度が所定の目標温度（即ち素子活性化温度を上回る所定の範囲に設定された値）となるように、ヒータ電圧供給回路９５によって印加する電圧を制御し（即ち通常のヒータの温度制御を実施し）、一旦本処理を終了する。
【００７１】
一方、ステップ１６０では、ヒータ通電停止条件が満たされたので、発熱抵抗体８３（以下単にヒータと記すこともある）への通電を停止する。
続くステップ１７０では、ヒータへの通電を再開する条件が満たされたか否かの判定を行う。ここで、ヒータへの通電を再開する条件が満たされと判定された場合には、前記ステップ１５０に進んで、通常のヒータの温度制御を実施し、一方、ヒータへの通電を再開する条件が満たされていないと判定された場合には、一旦本処理を終了する。
【００７２】
ここで、ヒータ通電停止条件について説明する。
(1)ヒータ通電停止条件としては、例えば内燃機関１の自動停止条件（アイドリングストップ条件）が挙げられる。
【００７３】
このアイドリングストップ条件は、車両の状態が、（例えば車両の停車状態など）アイドリングストップに適した状態を判断するためのものである。
内燃機関１がアイドリングストップ中であるか否かは、内燃機関１の運転を自動的に停止させる指示と、自動運転停止後に内燃機関１の運転を自動的に再開させる指示とによって更新されるアイドリングストップフラグ（ＩＳＦ）に基づき判断される。この内燃機関１の運転を自動的に停止させる指示と、自動運転停止後に内燃機関１の運転を自動的に再開させる指示とは、例えば、公知の方法（例えば、特開２００３−１４８２０６号公報に記載の方法）によって出力される。
【００７４】
具体的には、例えばオートマチック車においては、ブレーキペダルを踏んだまま減速し、停車状態（例えば車速がゼロ）になったときなどに、アイドリングストップに適した状態であると判定して、アイドリングストップフラグをセット（オン）し、何からのアイドリングストップに適さない条件（例えばアクセルペダルを踏んだ時）が成立した場合には、アイドリングストップフラグをオフする。
【００７５】
(2)他のヒータ通電停止条件としては、アイドリングストップフラグの有無にかかわらず、内燃機関１の回転数（エンジン回転数）が、所定の回転数判定値以下（例えばエンジン回転数がアイドリング時近傍の所定値：例えば５００ｒｐｍ）になった条件が挙げられる。
【００７６】
従って、この場合は、（走行中に）エンジン回転数が所定の回転数判定値以下になった場合が、「自動停止条件が成立すると予め推定された場合」に該当する。なお、この条件の成立を示すために、アイドルストップ推定フラグをセットしてもよい。
【００７７】
(3)更に他のヒータ通電停止条件としては、アイドリングストップフラグの有無にかかわらず、車両の速度が所定の速度判定値以下（例えば１０ｋｍ／ｈ以下）に低下し、且つ、内燃機関１の点火信号が停止状態である条件が挙げられる。
【００７８】
従って、この場合は、（走行中に）車速が所定の速度判定値以下になり、且つ、点火信号が停止状態になった場合が、「自動停止条件が成立すると予め推定された場合」に該当する。なお、前記（２）と同様に、この条件の成立を示すために、アイドルストップ推定フラグをセットしてもよい。
【００７９】
なお、点火信号が停止状態であることは、所定期間にわたり（点火プラグからの放電を行わせるための）点火信号が出力されないことから検知することができる。詳しくは、ＥＣＵ３から点火回路２５に対して点火を指示する信号が出力されないことから検知することができる。
【００８０】
ここで、前記(1)〜（3）のヒータ通電停止条件としては、それぞれ単独で用いることができるが、特に、自動停止条件の推定のためには、前記(2)及び（3）の少なくとも一方を用いる。
【００８１】
例えば（１）のアイドリングストップ条件と（２）のエンジン回転数の条件との両方を用いる場合には、どちらかの条件が先に成立したときに、ヒータの通電制御を行ってもよい。また、（１）のアイドリングストップ条件と（３）の車速及び点火信号の条件との両方を用いる場合には、どちらかの条件が先に成立したときに、ヒータの通電制御を行ってもよい。更に、（２）のエンジン回転数の条件と（３）の車速及び点火信号の条件との両条件が成立した場合に、ヒータの通電制御を行ってもよい。
【００８２】
なお、上述した処理のうち、ステップ１４０の条件判定の処理及びそれに伴う制御信号を（センサ制御部２９に）出力する処理は、例えばＥＣＵ３にて実施し、他のステップ１００〜１３０、１５０〜１７０の処理は、センサ制御部９１にて実施するように構成できる。また、ステップ１１０〜１７０の処理を全てセンサ制御部９１にて実施するようにしてもよい。
【００８３】
ｇ）次に、本実施形態による作用効果を、図５を参照して説明する。
図５に示す様に、従来のヒータ制御においては、赤信号等の場合にブレーキペダルが踏まれて、車速が低減する状態では、通常、燃料噴射や点火制御が停止されるので、エンジン回転数が低下する。そして、更に、車速が低下して車速がゼロとなって停車すると（時刻ｔ２）、発熱抵抗体８３への通電が停止される。その後、アイドルストップ条件が不成立となると（時刻ｔ３）、内燃機関１が再始動されるとともに、発熱抵抗体８３への通電も再開される。そのため、発熱抵抗体８３への通電の停止期間が短く、同図の斜線部分（消費電力削減効果代）で示す様に、消費電力の低減の効果も十分ではない。
【００８４】
それに対して、本実施形態では、ブレーキペダルが踏まれて、車速が低減し、それによって、例えばエンジン回転数が低下して所定の回転数判定値以下となると（時刻ｔ１）、停車前であっても、発熱抵抗体８３への通電を停止する。そのため、従来に比べて、発熱抵抗体８３への通電の停止期間が長いので、消費電力を大きく低減できるという顕著な効果を奏する。
【００８５】
また、本実施形態では、例えばエンジン回転数が低下して回転数判定値以下となった場合に、発熱抵抗体８３への通電を停止している。換言すると、エンジン回転数が回転数判定値以下ではない間は、通常のヒータ制御が行われるので、通常の様に精度良く空燃比を求めることができる。よって、本実施態様では、センサ出力の要求と消費電力の低減とを両立することができる。
【００８６】
更に、本実施形態では、発熱抵抗体８３への通電を再開する条件が満たされた場合（例えばアイドルストップ条件が不成立となった場合）には、ヒータ素子５３の温度を目標温度に制御する通常のヒータ制御を再開する。
【００８７】
つまり、ヒータへの通電を停止する制御が行われている際に、自動停止条件が不成立となる、または、（アクセルの踏み込み等によって）自動停止が解除された場合には、ヒータへの通電を通常状態に復帰させることができる。
【００８８】
これにより、必要なタイミングでヒータの通電のオン・オフの制御を行うことができる。よって、消費電力の低減ができるとともに、ヒータへの通電が必要な場合には、速やかにヒータの通電を再開することができる。
【００８９】
なお、本実施形態の変形例として、アイドルストップフラグを利用することなく、エンジン回転数のみで、発熱抵抗体８３への通電を停止してもよい。
また、更に他の変形例として、車両の速度が所定の速度判定値（例えば１０ｋｍ／ｈ）以下に低下した場合に、点火信号が（例えばエンジン回転数がゼロに低下する期間に対応する所定期間にわたり）停止状態であるときに、発熱抵抗体８３への通電を停止してもよい。この場合も、アイドルストップフラグを利用しなくてもよい。これによって、センサ出力の要求と消費電力の低減とを両立することができる。
【００９０】
更に、アイドルストップ推定フラグがセットされた場合に、発熱抵抗体８３への通電を停止してもよい。
なお、本発明は、以上詳述した実施形態に限定されるものではなく、本発明の要旨を逸脱しない範囲内において種々変更が加えられてもよい。
【００９１】
（１）例えば、上記実施形態では、検知対象ガス中の特定成分のガス濃度を検知するガスセンサが、全領域空燃比センサである場合を例示したが、これに限定されない。例えば、上記実施形態の酸素ポンプセル及び酸素濃度検知セルに対して、さらにＮＯｘを分解して酸素を汲み出す第２の酸素ポンプセルを加えた構成を有する、検知対象ガス中のＮＯｘ濃度を検知するＮＯｘセンサに本発明が適用されてもよい。
【００９２】
（２）更に、本発明は、酸素ポンプセル（Ｉｐセル）及び酸素濃度検知セル（Ｖｓセル）の２セルタイプのガスセンサに限らず、酸素濃度検知セル（Ｖｓセル）から構成される１セルタイプのガスセンサであって、上記実施形態と同様に、Ｖｓセルに微小電流Ｉｃｐを電極（検知電極）から電極（基準電極）に供給して、基準電極から検知電極に向けて酸素を汲み入れるタイプのガスセンサに適用することもできる。
【００９３】
この１セルタイプのガスセンサは、Ｖｓセルの一対の電極間に発生する電圧（起電力）に応じて、検知対象ガス中の酸素濃度を検出するものであり、このガスセンサに接続されるセンサ制御部は、一対の電極間に発生した電圧に基づいて、排ガスの空燃比が特定空燃比を境にしてリッチかリーンかを判断する。
【００９４】
（３）センサ制御装置の構成は適宜変更可能である。例えば、マイコンとＡＳＩＣとヒータ電圧供給回路とを備えるセンサ制御部は、ＥＣＵ３と別体であっても一体であってもよい。この場合、上述のメイン処理は、センサ制御部で実行されてもよいし、ＥＣＵで実行されてもよい。
【００９５】
（４）上記メイン処理で実行される処理では、ヒータ通電停止条件が満たされた場合に、ヒータへの通電を停止したが、例えばエンジン回転数が回転数判定値以下に低下した場合には、ヒータへの印加電圧を低減してヒータの消費電力を低減してもよい。又は、車速が車速判定値以下に低下し、且つ、点火信号が停止状態の場合に、ヒータへの印加電圧を低減してヒータの消費電力を低減してもよい。
【００９６】
つまり、上述したヒータへの通電の停止の処理に代えて、ヒータへの印加電圧を低減してヒータの消費電力を低減する処理を行ってもよい。
【符号の説明】
【００９７】
１…内燃機関（エンジン）
３…電子制御装置（ＥＣＵ）
１９…排気管
２３…空燃比センサ
２９…センサ制御部
３１…回転数センサ
４１…車速センサ
５１…センサ素子
５３…ヒータ素子
８３…発熱抵抗体
【図１】
2014016317.tif 000003
【図２】
2014016317.tif 000004
【図３】
2014016317.tif 000005
【図４】
2014016317.tif 000006
【図５】
2014016317.tif 000007